(57)【要約】      （修正有）【課題】子供及び装着者の双方に対して安全な様式で該ベビーキャリアを回動／移動することを可能とするベビーキャリアを提供する。【解決手段】胸部ストラップ１１と胴部ベルト１２とキャリア袋体１４とを備えるベビーキャリア１であって、キャリア袋体１４はフロント・ピース１６を備え、該フロント・ピース１６の下側部分は胴部ベルト１２に対して接続される。各胸部ストラップ１１間の接続は、手段３０により達成されるべく適合化され、且つ、夫々の胸部ストラップ１１の第２部分１１２は、該ベビーキャリア１が上記装着者の身体の上側部分の回りで回動されるのを許容すべくフロント・ピース１６の中央部分に対して接続されることから、当該ベビーキャリア１の回動の一つの段階の間において、上記手段３０は、装着者の一方の肩部上に延在し、且つ、通常の場合においては各胸部ストラップ１１により担持される重量を担持する。【選択図】図１
2014018658.tif 000002
【特許請求の範囲】
【請求項１】
装着者の両方の肩部の回りに夫々延在すべく適合化されると共に相互に対して接続された各胸部ストラップ(11；11')と、胴部ベルト(12；12')と、前記各胸部ストラップ及び前記胴部ベルトに対して接続されたキャリア袋体(14；14')とを備えるベビーキャリア(1；1'；1")であって、前記キャリア袋体はフロント・ピース(16；16')を備え、該フロント・ピースの下側部分(20；20')は前記胴部ベルトに対して接続されるというベビーキャリア(1；1'；1")において、
前記各胸部ストラップ(11；11')間の接続は、手段(30；30')により達成されるべく適合化され、
夫々の胸部ストラップ(11；11')の第2部分(12；112')は、当該ベビーキャリアを装着者の胸部側と背部側との間で移動させるべく該ベビーキャリアが前記装着者の身体の上側部分の回りで回動されるのを許容すべく前記フロント・ピース(16；16')の中央部分(26；26')に対して接続されることから、当該ベビーキャリアの回動の一つの段階の間において、前記手段(30；30')は、前記装着者の一方の肩部(S)上に延在し、且つ、該手段は、通常の場合においては各胸部ストラップにより担持される重量を担持することを特徴とする、ベビーキャリア(1；1'；1")。
【請求項２】
前記手段(30；30')は、一体片で形成されると共に長手方向に調節可能である撓曲可能手段であり、
前記手段は、夫々の胸部ストラップ(11；11')の長さの少なくとも一部に沿い調節可能に配置されることを特徴とする、請求項１に記載のベビーキャリア。
【請求項３】
前記第2部分(112；112')の少なくとも一方は、前記フロント・ピース(16；16')の前側部に対して連結デバイス(28；28')により着脱可能に取付けられる、請求項１または請求項２に記載のベビーキャリア。
【請求項４】
前記胴部ベルト(12')は各胸部ストラップに対して接続され、
前記フロント・ピース(16')は、少なくとも各胸部ストラップと協働してキャリア袋状部(18')を形成し、
前記フロント・ピースの下側部分(20')は、高さ方向に調節可能である少なくとも一つの台座支持部(22')を形成し、
前記フロント・ピースは、上側部分(24')において、少なくとも一方の胸部ストラップ(11')の第1部分(111')に対して着脱可能に接続され、
夫々の胸部ストラップ(11')の第2部分(112')は、接続手段(29')の上縁部(29a')に対するレベルであって、当該ベビーキャリアにより担持される子供の重心(T)が常に該接続手段(29')の該上縁部(29a')の下方に配置されるという如きレベルにて、一方では前記フロント・ピース(16')の中央部分(26')に対し、且つ、他方では前記接続手段(29')を介して前記第1部分(111')に対して接続されることを特徴とする、請求項１から請求項３のいずれか一つの請求項に記載のベビーキャリア。
【請求項５】
前記第2部分(112；112')は前記フロント・ピース(16；16')に対して取付けられ、
前記第2部分に平行な接線は水平面に対し、約20°〜29°、好適には約24°の角度(α)を形成する結果、当該ベビーキャリアを回動するときに前記手段(30；30')が装着者の各肩部(S)上に延在するときに、夫々の胸部ストラップ(11；11')の第1部分(111；111')及び第2部分(112；112')は、相互に対して殆ど平行であり且つ同一の荷重を略々等しく担持することを特徴とする、請求項１または請求項４に記載のベビーキャリア。
【請求項６】
当該ベビーキャリアの平面方向で視認されたとき、前記フロント・ピース(16；16')に対する前記第2部分(112；112')の取付けのための中心点と、前記胴部ベルト(12；12')に対する前記フロント・ピースの取付け箇所との間の距離(Y)は、約23〜27cm、好適には約25cmであることを特徴とする、請求項１または請求項４に記載のベビーキャリア。
【請求項７】
当該ベビーキャリアの平面方向で視認されたとき、前記フロント・ピース(16')に対する前記第2部分(112')の取付けの中心点(A)と、夫々の胸部ストラップに対する前記フロント・ピースの上側部分(24')の取付けのためのストラップ(25')のための上側締着点との間の距離(X)は、約13〜17cm、好適には約15cmであることを特徴とする、請求項４に記載のベビーキャリア。
【請求項８】
当該ベビーキャリアの平面方向で視認されたとき、夫々の胸部ストラップの第1部分(111')に対するストラップ(25')の取付けのための中心点(B)と、前記フロント・ピースの上側部分(24')に対するストラップ(25')のための上側締着点との間の距離(Z)は、約13〜17cm、好適には約15cmであることを特徴とする、請求項４に記載のベビーキャリア。
【発明の詳細な説明】
【技術分野】
【０００１】
本発明は、請求項１の前文に係るベビーキャリア(baby carrier)に関し、より詳細には、本発明は回動可能なベビーキャリアに関する。
【背景技術】
【０００２】
長期にわたりベビーキャリアを使用し得るために、すなわち、幼児が約２４月齢、あるいは約３６月齢となるまで幼児を担持するためには、ベビーキャリアが装着者の胸部側及び背部側のいずれでも担持され得ることが望ましい、と言うのも、子供が次第に重くなるとき、その子供は好適には装着者の背部側で担持されるからである。
【０００３】
子供を装着者の背部側に担持することに伴う一つの問題は、キャリアがすでに背部上に載置され且つ装着者が単独であるときに、該キャリア内へと子供を収納することは困難であり、且つ、子供がすでに胸部側に担持されている場合には、安全な様式でキャリアを胸部側から背部側へと回動／移動させるのが困難なことである。
【０００４】
従って、当該ベビーキャリアが装着者の胸部側上に担持されているときに子供を該キャリア内に位置し、その後、子供が該キャリア内に安全に着座しているときに、該キャリアが、簡素であり且つ子供及び装着者に対して安全であるという様式で、装着者自身により背部側へと回動／移動され得る、というベビーキャリアを提供することが望ましかろう。
【発明の概要】
【発明が解決しようとする課題】
【０００５】
故に、本発明の目的は、子供が当該ベビーキャリア内に着座している間に、装着者の胸部側から背部側へ、及び、その逆へと、子供及び装着者の双方に対して安全な様式で該ベビーキャリアを回動／移動することを可能とするベビーキャリアを達成するに在る。
【課題を解決するための手段】
【０００６】
本発明に依れば、該目的は、装着者の両方の肩部の回りに夫々延在すべく適合化されると共に相互に対して接続された各胸部ストラップと、胴部ベルトと、上記各胸部ストラップ及び上記胴部ベルトに対して接続されたキャリア袋体とを備えるベビーキャリアであって、上記キャリア袋体はフロント・ピースを備え、該フロント・ピースの下側部分は上記胴部ベルトに対して接続されるというベビーキャリアにおいて、上記各胸部ストラップ間の接続は、手段により達成されるべく適合化され、且つ、夫々の胸部ストラップの第2部分は、当該ベビーキャリアを装着者の胸部側と背部側との間で移動させるべく該ベビーキャリアが上記装着者の身体の上側部分の回りで回動されるのを許容すべく上記フロント・ピースの中央部分に対して接続されることから、当該ベビーキャリアの回動の一つの段階の間において、上記手段は、上記装着者の一方の肩部上に延在し、且つ、該手段は、通常の場合においては各胸部ストラップにより担持される重量を担持することを特徴とするベビーキャリアにより達成される。
【０００７】
好適実施形態は、付属する従属請求項中に定義される。
【０００８】
以下において本発明は非限定的な例の形態で更に詳細に記述されるが、添付図面を参照されたい。
【図面の簡単な説明】
【０００９】
【図１】本発明に係るベビーキャリアの第１実施形態の前方からの概略的斜視図である。
【図２】本発明に係るベビーキャリアの第２実施形態の前方からの概略的斜視図である。
【図３】装着者により担持された第２実施形態に係るベビーキャリアであって、乳児は該装着者に対して顔面を向けてキャリア内に着座しているというベビーキャリアを前方から見た概略図である。
【図４】第２実施形態に係るベビーキャリアが、該ベビーキャリアを装着者の背部側へと回動させるための第１段階において示されているという、装着者の前方からの概略図である。
【図５】第２実施形態に係るベビーキャリアが、該ベビーキャリアを装着者の背部側へと回動させるための第２段階において示されているという、装着者の前方からの概略図である。
【図６】第２実施形態に係るベビーキャリアは背部上に在り、２本のストラップ・ループの接続を示し、装着者の左腕は各ストラップ・ループの一方に挿通されていないという、装着者の前方からの概略図である。
【図７】第２実施形態に係るベビーキャリアは胸部側上に担持されているという、装着者の後方からの概略図である。
【図８】第２実施形態に係るベビーキャリアは胸部側上に載置され且つ該キャリア内には子供が着座しているという、装着者の概略的側面図である。
【図９】第２実施形態に係るベビーキャリアのフロント・ピースが平面状態に在るという、該ベビーキャリアの概略図である。
【図１０】図９に類似するが、フロント・ピースの上側部分は下方に折り曲げられているという概略図である。
【図１１】その様に形成されたキャリア袋状部は、図１から図１０に係るベビーキャリアの第１及び第２の実施形態のキャリア袋状部とは別の構成を有するという、フロント・ピースのみを示す背後からの簡略図である。
【発明を実施するための形態】
【００１０】
本明細書及び以下の各請求項において、ベビーキャリアの記述は、別段のことが述べられなければ、該ベビーキャリアは装着者の胸部側上に担持される如く理解されるものとする。
【００１１】
図１は、本発明に係る第１実施形態のベビーキャリア1を概略的に示している。ベビーキャリア1は調節可能な各胸部ストラップ11を備え、これらは相互に、装着者2の両方の肩部領域3の回りに夫々延在すべく適合化されると共に、装着者の背部上で手段30により相互に接続される。各胸部ストラップ上にはキャリア袋体14が取付けられると共に、該キャリア袋体は、胴部ベルト12に対し、好適にはその上縁部に対して接続され、且つ、フロント・ピース16を備えることから、該フロント・ピースと装着者の身体との間にはキャリア袋状部18が形成される。上記フロント・ピースの下側部分20は、上記胴部ベルトに対して接続されると共に、上記ベビーキャリア内に子供が着座するための台座支持部22を形成する。夫々の胸部ストラップ11の第2部分112はフロント・ピース16の中央部分26に対して取付けられることから、好適には少なくとも一方の第2部分112は、上記フロント・ピースの側部、好適には前側部に対し、接続デバイス28により着脱可能に接続される。
【００１２】
図２は、本発明に係る第２実施形態のベビーキャリア1'を概略的に示している。ベビーキャリア1'は調節可能な各胸部ストラップ11'を備え、これらは相互に、装着者2の両方の肩部領域3の回りに夫々延在すべく適合化されると共に、装着者の背部上で手段30'により相互に接続され、且つ、各々が接続手段29'と協働して、閉じられたストラップ・ループを形成する。夫々の胸部ストラップの第1部分111'に対しては、調節可能な胴部ベルト12'が接続される。各胸部ストラップと、上記胴部ベルト、好適にはその上縁部とに対しては、キャリア袋体14'が取付けられると共に、該キャリア袋体は、夫々の胸部ストラップの少なくとも第1部分111'と協働してキャリア袋状部18'を形成するフロント・ピース16'を備える。上記フロント・ピースの下側部分20'は、上記胴部ベルトに対して接続されると共に、上記ベビーキャリア内に子供が着座するための少なくとも一つの台座支持部22'を形成し、該台座支持部は、高さ方向において調節可能であり得る。上記フロント・ピースの上側部分24'は、夫々の胸部ストラップの第1部分111'に対して着脱可能に接続される。上記上側部分の着脱可能な接続は、例えば、長手方向に調節可能なストラップ25'であって、上側部分24'の内側に対して取付けられ、且つ、夫々の胸部ストラップ11'に対して接続デバイス25a'により着脱可能に接続されるというストラップ25'により達成され得る。夫々の胸部ストラップ11'の第2部分112'はフロント・ピース16'の中央部分26'に対して取付けられることから、好適には少なくとも一方の第2部分は、上記フロント・ピースの側部、好適には前側部に対し、接続デバイス28'により着脱可能に接続される。第2部分112'は、例えばストラップまたは布地片の形態の接続手段29'を介して、夫々の胸部ストラップの第1部分111'に対して接続される。
【００１３】
本発明の第２実施形態において、キャリア袋状部18‘は、上記フロント・ピースの中央部分26’と、台座支持部22‘と、接続手段29’と協働する夫々の胸部ストラップの少なくとも第1部分111‘とで形成される。夫々の胸部ストラップの第1部分111’は、例えば撓曲可能な布地片により置き換えられ得ると共に、該布地片はそのときに、上記胴部ベルトに対する、２本の胸部ストラップの下方への延長部及び接続部を形成し得る。
【００１４】
以下においては、第２実施形態に関してベビーキャリアが記述されるが、第１実施形態と第２実施形態との間で異なる唯一の特徴は、キャリア袋状部18；18'が如何に形成されるか、及び、その可能的な延長部である。
【００１５】
図４からは、ベビーキャリアが装着者の身体の上側部分の回りに回動／移動されるときに、夫々の胸部ストラップ11'の第1部分111'及び第2部分112'は、それらが相互に対して実質的に平行であり、すなわち、示された位置においてそれらが同一の荷重を担持する如き様式で上記フロント・ピースに対して取付けられることが理解され得る。より詳細には、夫々の胸部ストラップの第2部分112'は、該第2部分112'の主要方向に平行に延伸する接線が、水平面に対して約20°〜29°、好適には約24°の角度αを形成する如き様式で、好適には接続デバイス28'によりフロント・ピース16'に対して取付けられる。図１、図２及び図９を参照されたい。
【００１６】
図５、図６及び図７において理解され得る如く、両方の胸部ストラップ11'は、好適にはストラップ30'の形態の手段30'であって、撓曲可能であり且つ長手方向に調節可能であるという手段30'により、相互に対して接続される。
【００１７】
好適実施形態において、ストラップ30'は、一体片で形成されたストラップ30'であり、すなわち、それは、何らかの種類の着脱可能な手段により２つの部分へと分離されなくてもよい。特に、図５に示された位置からは、通常の場合において両方のストラップ・ループにより担持される重量は、上記キャリアの回動／移動の間においては、ストラップ30'が装着者の一方の肩部S上に位置されたときに、該ストラップにより担持されることが理解され得る。故に、ストラップ30'が、夫々の胸部ストラップ11'から着脱可能ではなく、且つ、２つの部分へと分離可能でもない、ということが相当に重要である。更に、胸部ストラップ30'は好適には、夫々の胸部ストラップ11'の長さの少なくとも一部に沿い調節可能に配置される。図７を参照されたい。このことは、例えば、夫々のストラップ・ループの側部部分に沿い配置された縁取り部32'、及び、該縁取り部に対して嵌合し得る摺動シュー(sliding shoe)34'により達成され得ることから、ストラップの夫々の端部は、対応する摺動シューに対して確実に取付けられる。
【００１８】
更に、付随するバックル35'を備える胴部ベルト12'は、それらが、装着者の胸部側と背部側との間、及び、その逆におけるベビーキャリアの移動を促進する如き様式で形成される。この目的のために、上記胴部ベルトの内側面、すなわち、装着者に対して向けられた該胴部ベルトの表面は、低摩擦の材料で形成され得る。胴部ベルト12'のバックル35'は好適には、ベビーキャリアの装着及び取り外しを促進すべく２つの部材片へと分割され得るバックルである。
【００１９】
好適実施形態において台座支持部22'は、公知の如く、キャリア袋状部18'の深さが子供のサイズに適合化され得る様に、キャリア袋体14'の高さ方向に調節可能に配置される。より詳細には、図８に示された如く、上記台座支持部は、フロント・ピース16'上の連結デバイス28'と、夫々の胸部ストラップ11'の第1部分111'と第2部分112'との間の接続手段29'との位置と協働し、上記キャリア袋状部の深さが、子供の重心Tが常に夫々の接続手段29'の上縁部29a'のレベルの下方に配置され、すなわち、子供の重心Tと、夫々の接続手段29'の上縁部29a'のレベルに配置されて概略的に示された円Cとの間の距離Dが、常にゼロより大きくあるべき如き様式で調節されねばならない。このことは、一方では、上記ベビーキャリアが装着者の胸部側から背部側へ及びその逆に回動／移動されるときに、且つ、他方では、ベビーキャリアが装着者の胸部側もしくは背部側のいずれかに配置されている場合に該ベビーキャリア内に子供が着座しているときに、子供がベビーキャリアから決して外方落下しないことを確実とするためである。
【００２０】
図９から理解され得る如く、ベビーキャリアの好適実施形態において、且つ、平面方向において、胴部ベルト12'に対するフロント・ピース16'の締着箇所から、フロント・ピース16'に対する接続デバイス28'の取付けの中心点Aまでの距離Yは、常に、約23〜27cm、好適には約25cmとされるものとする。更に、上側部分24'の内側に対する調節可能ストラップ25'の取付けのための(図９においては上記フロント・ピースの外側における縫い目のラインとして示された)上側取付け点と、フロント・ピース16'に対する接続デバイス28'の取付けの中心点Aとの間の距離Xは、約13〜17cm、好適には約15cmとされるものとする。
【００２１】
図１０において視認され得る如く、ベビーキャリアの平面方向において、上側部分24'の内側における調節可能ストラップ25'の上側締着点と、胸部ストラップ11'に対する接続デバイス25a'の締着の中心点Bとの間の距離Zは、約13〜17cm、好適には約15cmとされるものとする。
【００２２】
図１１は、そのキャリア袋状部がフロント・ピース16"及び布地片40により形成されたベビーキャリア1"を概略的に示している。布地片40の下側部分41は、フロント・ピース16"及び／または胴部ベルト12"に対して固定接続されることで、台座支持部22"を形成する。布地片40の上側部分42において、少なくとも片面は、フロント・ピース16"に対し、例えば押圧ボタンにより着脱可能に接続される。他の全ての部分において、ベビーキャリア1"は、第１実施形態に係るベビーキャリア1と同様に形状化され得る。
【００２３】
当該ベビーキャリア内に子供が着座しているベビーキャリアを、装着者の胸部側から背部側へと回動／移動し得るためには、以下の各段階が行われる：
【００２４】
子供が、装着者の胸部側上でベビーキャリア内へと載置されているとき、装着者は、自身の両腕の片方を、第1の肩部の回りに延在するi)(第１実施形態における)一方の胸部ストラップ11、または、ii)(第２実施形態における)一方の胸部ストラップ11'の第1部分111'の下方に滑動させると共に、胸部ストラップ／第1部分が完全に片腕の下方に載置されるまで、ベビーキャリアを回動する。その後、装着者は自身の第2の腕を第2部分112；112'の下方に滑動させることから、第2の胸部ストラップは、装着者の第2の肩部上に載置される(図４)。ストラップ30；30'は２本の胸部ストラップ11；11'と協働して、装着者の第2肩部上の閉ループを形成し、これにより、それ以降、子供は、自身の重心を自身の回りの仮想円の下方として(図８)、主として直立姿勢で着座することが確実とされる。この位置において装着者は今や、自身の一方の腕の下方の子供を、背部側へと戻し回動し得る(図５)。子供が装着者の背部側へと完全に回動されたとき、装着者は、子供が今や装着者の背部側上に着座し且つベビーキャリアの２本の胸部ストラップは全体的に装着者の両方の肩上に在る様に、一方の腕を滑動させて一方の胸部ストラップに戻して通し、且つ、他方の腕を他方の胸部ストラップに通し得る。この位置において、ストラップ30；30'は、装着者の胸部側上に載置される。
【００２５】
ベビーキャリア1；1'；1"の全ての実施形態において、回動／移動の全体的操作の間において、好適にはバックル28；28'、及び、適切な場合にはバックル25a'は、上記キャリアの夫々の部分に対して繋止される。胴部ベルト12；12'は常に、上述のキャリアの回動／移動の間において閉じられるものとする。
【符号の説明】
【００２６】
1、1'、1"    ベビーキャリア
11、11'    胸部ストラップ
12、12、12"    胴部ベルト
14、14'    キャリア袋体
16、16'、16"    フロント・ピース
26、26'    中央部分
30、30'    手段／ストラップ
112、112'    第2部分
【図１】
2014018658.tif 000003
【図２】
2014018658.tif 000004
【図３】
2014018658.tif 000005
【図４】
2014018658.tif 000006
【図５】
2014018658.tif 000007
【図６】
2014018658.tif 000008
【図７】
2014018658.tif 000009
【図８】
2014018658.tif 000010
【図９】
2014018658.tif 000011
【図１０】
2014018658.tif 000012
【図１１】
2014018658.tif 000013
【外国語明細書】
2014018658000001.pdf